(57)【要約】  本発明は、独特のデザイン性を有し、容易かつ高度な真贋判定を可能とする偽造防止媒体に関する。本発明の偽造防止媒体は、支持基材と、ＯＶＤ形成層と潜像層とをこの順に含み、潜像層は、複屈折材料の光学軸が互いに異なる方向に配向された複数の領域を有し、ＯＶＤ形成層は、第１領域と第２領域とからなる凹凸構造形成層と、反射層とを含み、第１領域は平坦部と複数の凸部または凹部とからなる領域であり、第２領域は平坦部からなり、複数の凸部および凹部のそれぞれは、０．３〜５μｍの長辺寸法および短辺寸法、および０．１〜０．５μｍ以下の高さまたは深さを有し、第１領域において、複数の凸部または凹部の占有面積は２０％以上８０％以下であり、複数の凸部または凹部は、整然配置されており、および複数の凸部の高さまたは凹部の深さは、略同一である。
2017204168.tif 000002
【特許請求の範囲】
【請求項１】
支持基材と、ＯＶＤ形成層と、潜像層とをこの順に含む偽造防止媒体であって、
前記潜像層は、複屈折材料を含み、
前記潜像層は、前記複屈折材料の光学軸が互いに異なる方向に配向された複数の領域を有し、
前記ＯＶＤ形成層は、前記支持基材側から順に、凹凸構造形成層と、反射層とを含み、
前記凹凸構造形成層は、１つまたは複数の第１領域と、１つまたは複数の第２領域とからなり、
前記反射層は、少なくとも、前記凹凸構造形成層の前記１つまたは複数の第１領域上に設けられており、
前記１つまたは複数の第１領域のそれぞれは、（ａ）前記支持基材の表面と略平行な平坦部、および上面が前記支持基材の表面と略平行である複数の凸部からなる領域、および、（ｂ）前記支持基材の表面と略平行な平坦部、および底面が前記支持基材の表面と略平行である複数の凹部からなる領域からなる群から選択され、
前記第２領域は、前記支持基材の表面と略平行な平坦部からなり、
前記複数の凸部のそれぞれは、０．３μｍ以上１０μｍ以下の長辺寸法、０．３μｍ以上１０μｍ以下の短辺寸法、および０．１μｍ以上０．５μｍ以下の高さを有し、
前記複数の凹部のそれぞれは、０．３μｍ以上１０μｍ以下の長辺寸法、０．３μｍ以上１０μｍ以下の短辺寸法、および０．１μｍ以上０．５μｍ以下の深さを有し、
前記１つまたは複数の第１領域のそれぞれにおいて、
（１）  前記第１領域の面積に対する前記複数の凸部または凹部の占有面積は、２０％以上８０％以下であり、
（２）  前記複数の凸部または前記複数の凹部は、整然配置されており、および
（３）  前記複数の凸部の高さまたは前記複数の凹部の深さは、略同一である
ことを特徴とする偽造防止媒体。
【請求項２】
前記潜像層は、前記ＯＶＤ形成層の側から順に、配向膜と、前記複屈折材料を含む複屈折層とを含むことを特徴とする請求項１に記載の偽造防止媒体。
【請求項３】
前記複屈折材料は、液晶材料であることを特徴とする請求項１または２に記載の偽造防止媒体。
【請求項４】
前記１つまたは複数の第１領域のそれぞれの上方に、前記潜像層の複数の領域の少なくとも２つが配置されていることを特徴とする請求項１から３のいずれかに記載の偽造防止媒体。
【請求項５】
印刷層をさらに含み、前記印刷層は、前記支持基材の前記ＯＶＤ形成層が設けられた面と反対側の面上に設けられているか、または前記ＯＶＤ形成層と前記潜像層との間に設けられていることを特徴とする請求項１から４のいずれかに記載の偽造防止媒体。
【請求項６】
請求項１から５のいずれかに記載の偽造防止媒体と、粘着層とを含み、前記粘着層は前記偽造防止媒体の支持基材側に設けられていることを特徴とする偽造防止粘着ラベル。
【発明の詳細な説明】
【技術分野】
【０００１】
本発明は、偽造防止効果を有する偽造防止媒体および偽造防止粘着ラベルに係る。
【背景技術】
【０００２】
偽造防止手段として、ホログラム、回折格子、多層膜などの光学可変デバイス（Ｏｐｔｉｃａｌ  Ｖａｒｉａｂｌｅ  Ｄｅｖｉｃｅ，ＯＶＤ）が使用されることがある。ＯＶＤは、光の干渉を利用して、観察角度に応じた色変化を生じる立体画像または装飾画像を表示する。このような視覚効果に加えて、ＯＶＤの製造に高度な技術を必要とする。そのため、ＯＶＤは、クレジットカード、有価証券、証明書類、金券、チケットなどにおける偽造防止用の表示体として使用されている。また、近年では、製品が真正品であることを証明する認証シール、または製品のパッケージを封印する封印シールにおいても、ＯＶＤが使用されるようになっている。【０００３】
しかしながら、ＯＶＤが広く使用されるようになった結果、真正品のＯＶＤに類似した視覚効果を有する偽造品が出回るようになってきている。【０００４】
一方、近年、偏光技術を応用した潜像デバイスが提案されている。提案されている潜像デバイスは、偏光フィルムを通した観察により潜像を顕在化させ、真贋判定を可能とする。しかしなから、潜像デバイスの真贋判定には、偏光フィルムなどの専用の検証器が必要になる。通常、小売業者およびサービス業者は、消費者から受け取る潜像デバイスに対応する真贋判定用の検証器を準備して、当該デバイスの真贋を判定することができる。しかしながら、潜像デバイスが用いられているか否かの情報が一般消費者に提供される機会は皆無に等しい。したがって、種々の状況で入手する潜像デバイスを想定して、一般消費者が事前に同デバイスに対応する検証器を入手することは困難である。【０００５】
この問題に関して、特開２００１−６３３００号公報は、一般消費者による一応の真贋の判定を可能にするＯＶＤと、小売業者およびサービス業者による真贋の判定を可能にする潜像デバイスとの両方を備えた偽造防止媒体を提案している（特許文献１参照）。この提案における潜像デバイスは、光学異方性を有し、通常光（非偏光）による観察では潜像を形成せず、偏光を用いる観察において潜像を顕在化する潜像部分と、光学的に等方的であり、通常光および偏光による観察において何らの像も形成しない非潜像部分とを含む。
【先行技術文献】
【特許文献】
【０００６】
【特許文献１】特開２００１−６３３００号公報
【発明の概要】
【発明が解決しようとする課題】
【０００７】
しかしながら、従来のホログラムは、一般的に、複数の溝を含むレリーフ型の回折格子を使用して、虹色に変化する画像を表現する。しかしながら、虹色に輝く反射光は、潜像デバイスによる画像変化の確認を困難にする。【０００８】
また、従来のホログラムにおいては、意匠性の更なる向上のために、反射層をパターン状に彩色することが行われている。しかしながら、パターン状の彩色は、反射層上への有色インキの印刷などが必要である。有色インキの印刷は、製造を煩雑にするとともに、ホログラムが形成する画像の輝度を低下させるという問題がある。【０００９】
本発明は、上述のような従来の問題を解決したものであり、高い偽造防止効果を発揮する偽造防止媒体を提供することを目的とする。
【課題を解決するための手段】
【００１０】
本発明の第１の実施態様の偽造防止媒体は、支持基材と、ＯＶＤ形成層と、潜像層とをこの順に含み、前記潜像層は、複屈折材料を含み、前記潜像層は、前記複屈折材料の光学軸が互いに異なる方向に配向された複数の領域を有し、前記ＯＶＤ形成層は、前記支持基材側から順に、凹凸構造形成層と、反射層とを含み、前記凹凸構造形成層は、１つまたは複数の第１領域と、１つまたは複数の第２領域とからなり、前記反射層は、少なくとも、前記凹凸構造形成層の前記１つまたは複数の第１領域上に設けられており、前記１つまたは複数の第１領域のそれぞれは、（ａ）前記支持基材の表面と略平行な平坦部、および上面が前記支持基材の表面と略平行である複数の凸部からなる領域、および、（ｂ）前記平坦部、および底面が前記支持基材の表面と略平行である複数の凹部からなる領域からなる群から選択され、前記第２領域は、前記支持基材の表面と略平行な平坦部からなり、前記複数の凸部のそれぞれは、０．３μｍ以上１０μｍ以下の長辺寸法、０．３μｍ以上１０μｍ以下の短辺寸法、および０．１μｍ以上０．５μｍ以下の高さを有し、前記複数の凹部のそれぞれは、０．３μｍ以上１０μｍ以下の長辺寸法、０．３μｍ以上１０μｍ以下の短辺寸法、および０．１μｍ以上０．５μｍ以下の深さを有し、前記１つまたは複数の第１領域のそれぞれにおいて、
（１）  前記第１領域の面積に対する前記複数の凸部または凹部の占有面積は、２０％以上８０％以下であり、
（２）  前記複数の凸部または前記複数の凹部は、整然配置されており、および
（３）  前記複数の凸部の高さまたは前記複数の凹部の深さは、略同一である
ことを特徴とする。ここで、潜像層は、ＯＶＤ形成層側から順に、配向膜と、前記複屈折材料を含む複屈折層とを含んでもよい。また、複屈折材料は、液晶材料であってもよい。さらに、前記１つまたは複数の第１領域のそれぞれの上方に、前記潜像層の複数の領域の少なくとも２つが配置されていることが、特徴的なデザイン性を付与できる点において好ましい。また、本実施態様の偽造防止媒体は、印刷層をさらに含み、前記印刷層を、前記支持基材の前記ＯＶＤ形成層が設けられた面と反対側の面上に設けられているか、または前記ＯＶＤ形成層と前記潜像層との間に設けることによって、さらなる意匠性を発現してもよい。【００１１】
本発明の第２の実施態様の偽造防止粘着ラベルは、第１の実施態様の偽造防止媒体と、粘着層とを含み、前記粘着層は前記偽造防止媒体の支持基材側に設けられていることを特徴とする。
【発明の効果】
【００１２】
上記の構成によって、ＯＶＤ形成層は、照明光の入射に応じて単一の色層を有する像を表示する。これによって、ホログラムおよびレリーフ型の回折格子のように照明角度の変化および観察角度の変化に依存する虹色に変化する像を提供することがない。その結果、潜像層が顕在化させる像（明暗パターン）が容易に視認できる。また、ＯＶＤ形成層に凸部の高さまたは凹部の深さが異なる複数の領域を設けることにより、それぞれの領域で異なる色の像を表示させることができる。ＯＶＤ形成層に複数の領域を設けることは容易であり、各領域が表示する像の輝度の低下も発生しない。さらに、潜像層が顕在化させる像と組み合わせることで、独特のデザイン性を持たせることも可能である。上記の構成を有する偽造防止媒体を用いることにより、より高度な真贋判定が可能となる。
【図面の簡単な説明】
【００１３】
【図１】非偏光照明下で観察した本発明の第１構成例の偽造防止媒体の上面図である。
【図２】切断線ＩＩ−ＩＩにおける本発明の第１構成例の偽造防止媒体の断面図である。
【図３】第１状態の偏光板を通して観察した本発明の第１構成例の偽造防止媒体の上面図である。
【図４】第１状態とは異なる第２状態の偏光板を通して観察した本発明の第１構成例の偽造防止媒体の上面図である。
【図５】第１領域中の凹凸構造形成層の拡大上面図である。
【図６】非偏光照明下で観察した本発明の第２構成例の偽造防止媒体の上面図である。
【図７】切断線ＶＩＩ−ＶＩＩにおける本発明の第２構成例の偽造防止媒体の断面図である。
【図８】非偏光照明下で著しく斜めの方向から観察した本発明の第２構成例の偽造防止媒体の上面図である。
【図９】第１状態の偏光板を通して観察した本発明の第２構成例の偽造防止媒体の上面図である。
【図１０】第１状態とは異なる第２状態の観察した本発明の第２構成例の偽造防止媒体の上面図である。
【発明を実施するための形態】
【００１４】
本発明の偽造防止媒体は、支持基材と、ＯＶＤ形成層と、潜像層とをこの順に含み、前記潜像層は、複屈折材料を含み、前記潜像層は、前記複屈折材料の光学軸が互いに異なる方向に配向された複数の領域を有し、前記ＯＶＤ形成層は、前記支持基材側から順に、凹凸構造形成層と、反射層とを含み、前記凹凸構造形成層は、１つまたは複数の第１領域と、１つまたは複数の第２領域とからなり、前記反射層は、少なくとも、前記凹凸構造形成層の前記１つまたは複数の第１領域上に設けられており、前記１つまたは複数の第１領域のそれぞれは、（ａ）前記支持基材の表面と略平行な平坦部、および上面が前記支持基材の表面と略平行である複数の凸部からなる領域、および、（ｂ）前記支持基材の表面と略平行な平坦部、および底面が前記支持基材の表面と略平行である複数の凹部からなる領域からなる群から選択され、前記第２領域は、前記支持基材の表面と略平行な平坦部からなり、前記複数の凸部のそれぞれは、０．３μｍ以上１０μｍ以下の長辺寸法、０．３μｍ以上１０μｍ以下の短辺寸法、および０．１μｍ以上０．５μｍ以下の高さを有し、前記複数の凹部のそれぞれは、０．３μｍ以上１０μｍ以下の長辺寸法、０．３μｍ以上１０μｍ以下の短辺寸法、および０．１μｍ以上０．５μｍ以下の深さを有し、前記１つまたは複数の第１領域のそれぞれにおいて、
（１）  前記第１領域の面積に対する前記複数の凸部または凹部の占有面積は、２０％以上８０％以下であり、
（２）  前記複数の凸部または前記複数の凹部は、整然配置されており、および
（３）  前記複数の凸部の高さまたは前記複数の凹部の深さは、略同一である
ことを特徴とする。
【００１５】
非偏光照明下で垂直上方から観察した本発明の第１構成例の偽造防止媒体１００の上面図を図１に示し、図１の切断線ＩＩ−ＩＩに沿った断面図を図２に示す。図１および図２に示す本発明の第１構成例の偽造防止媒体は、支持基材１０と、凹凸構造形成層２２および反射層２４からなるＯＶＤ形成層２０と、配向膜３２および複屈折層３４からなる潜像層３０とをこの順に含む。図１および図２に示す例において、凹凸構造形成層２２は、１つの第１領域１１０と、１つの第２領域１２０とを有する。図１および図２に示す例において、第１領域１１０は、支持基材１０の表面と略平行な上面を有する複数の凸部と、支持基材１０の表面と略平行な平坦部からなる。また、第２領域１２０は、支持基材１０の表面と略平行な平坦部からなる。一方、複屈折層３４は、第１複屈折領域３４ａおよび第２複屈折領域３４ｂを含み、その結果として、潜像層３０は２つの領域からなる。なお、図１および図２においては、偽造防止媒体１００の支持基材１０に粘着層４０を設けた、偽造防止ラベルの形態を図示している。
【００１６】
支持基材１０は、可撓性材料からなり、平坦な表面を有する。支持基材１０は、透明であってもよいし、不透明であってもよい。支持基材１０の材料として、プラスチックを用いることができる。支持基材１０を形成する材料は、ポリエチレンテレフタレート（ＰＥＴ）、ポリブチレンテレフタレート（ＰＢＴ）などのポリエステル類、ポリカーボネート類、ポリ（メタ）アクリレート類、ポリイミド類などである。
【００１７】
任意選択的ではあるが、支持基材１０とＯＶＤ形成層（具体的には凹凸構造形成層２２）との間に第１密着層（不図示）を設けて、支持基材１０とＯＶＤ形成層（または凹凸構造形成層２２）との間の密着性を向上させてもよい。
【００１８】
ＯＶＤ形成層２０の第１の構成要素である凹凸構造形成層２２は、熱可塑性樹脂、光硬化性樹脂などを用いて形成することができる。熱可塑性樹脂を用いる場合、支持基材１０に熱可塑性樹脂を塗布し、熱可塑性樹脂の塗膜に対して、所定の凹凸構造を有するスタンパを押圧し、塗膜を塑性変形させることによって、第１領域を構成する平坦部、および凸部または凹部、ならびに第２領域を構成する平坦部を形成することができる。また、光硬化性樹脂を用いる場合、支持基材１０に光硬化性樹脂を塗布し、光硬化性樹脂の塗膜に対して、所定の凹凸構造を有するスタンパを押圧し、その状態で塗膜に光を照射して硬化させることによって、第１領域を構成する平坦部、および凸部または凹部、ならびに第２領域を構成する平坦部を形成することができる。凹凸構造形成層２２の樹脂として、アクリル樹脂、ウレタン樹脂、オレフィン樹脂、エポキシ樹脂などを用いることができる。また、凹凸構造形成層２２は、０．５μｍ以上５μｍ以下の膜厚を有することができる。
【００１９】
凹凸構造形成層２２を形成するためのスタンパの原版は、従来のレリーフ型回折格子の作製プロセスと同様に、フォトリソグラフィ法により作製することができる。たとえば、平面状の基板に感光性レジストを略均一に塗布し、感光性レジスト塗膜に対して、電子線（ＥＢ）などの荷電粒子ビーム、レーザーなどの化学線をパターン状に照射し、最後に感光性レジスト塗膜を現像することによって、原版を得ることができる。一般的に、平面状の基板として、ガラス基板を用いることができる。現像段階において、感光性レジストがポジ型であれば、荷電粒子ビームまたは化学線に照射された部分が溶解・除去される。一方、感光性レジストがネガ型であれば、荷電粒子ビームまたは化学線に照射された部分が不溶化し、照射されていない部分が溶解・除去される。たとえば、高精度に位置調整が可能なＸＹステージ上に基板を載置し、コンピュータ制御の下でステージを移動させながら、荷電粒子ビームまたは化学線の照射を行うことができる。
【００２０】
続いて、原版を用いて、スタンパを形成する。なぜなら、原版の感光性レジストによる凹凸構造は、押圧による凹凸構造形成層２２の形成のためには脆過ぎるためである。電鋳などの方法を用いて、原版の凹凸構造を転写した金属性のスタンパを作製する。電鋳法においては、原版の凹凸構造を有する感光性レジスト塗膜の上に導電層を付着させ、原版全体を金属イオンを含む水溶液中に浸漬し、導電層に通電することにより、導電層上で金属イオンを還元・堆積させて金属製スタンパを得る。導電層は、真空蒸着法、スパッタ法などの当該技術において知られている任意の気相堆積法を用いて、凹凸構造を有する感光性レジスト塗膜上に導電性金属を付着することによって形成することができる。電鋳法は、原版の感光性レジスト塗膜上に設けられた微細な凹凸構造の反転形状を、高精度で金属製スタンパ表面上に転写できる点において好ましい。
【００２１】
凹凸構造形成層２２は、１つまたは複数の第１領域１１０と、１つまたは複数の第２領域とを有する。第１領域１１０および第２領域１２０は、それら全体として、文字、絵、意匠、ロゴ、マークなどを表示するためのパターン状に配置されていてもよい。
【００２２】
第１領域１１０は、
（ａ）  支持基材１０の表面と略平行な平坦部、および上面が支持基材１０の表面と略平行である複数の凸部からなる領域、または
（ｂ）  支持基材１０の表面と略平行な平坦部、および底面が支持基材１０の表面と略平行である複数の凹部からなる領域
のいずれであってもよい。本明細書において、平坦部、凸部および凹部に関する「略平行」とは、平坦部の表面、凸部の頂面、または凹部の底面と、支持基材１０の表面とのなす角が、−５°から＋５°の範囲内であることを意味する。第１領域中の複数の凸部および複数の凹部は、０．３μｍ以上１０μｍ以下、好ましくは０．３μｍ以上５μｍ以下の長辺寸法、および、０．３μｍ以上１０μｍ以下、好ましくは０．３μｍ以上５μｍ以下の短辺寸法を有する。本明細書において、複数の凸部および複数の凹部の「長辺寸法」および「短辺寸法」とは、それぞれ、凸部および凹部の上面形状に外接する最小の長方形の長辺および短辺の長さを意味する。よって、上記の範囲内の長辺寸法および短辺寸法を有する複数の凸部および複数の凹部のそれぞれは、０．３μｍ以上１０μｍ以下、好ましくは０．３μｍ以上５μｍ以下の長辺および短辺を有する長方形に内包される上面形状を有する。複数の凸部および複数の凹部は、円、楕円、多角形などの上面形状を有する柱体であってもよい。たとえば、複数の凸部および複数の凹部が円形の上面形状を有する場合、長辺および短辺は同一の価を有する。一方、複数の凸部および複数の凹部が楕円形の上面形状を有する場合、長辺は楕円の長軸に相当し、および短辺は楕円の短軸に相当する。なお、複数の凸部および凹部は、垂直方向に直立した直柱体であることが望ましい。上記の範囲内の長辺寸法および短辺寸法を有することにより、照明光の入射方向とは離れた方位角に向けて十分な強度を有する回折光を射出することが可能となる。また、凹凸構造形成層２２の形成をより容易に実施することが可能となる。
【００２３】
また、第１領域１１０において、複数の凸部または複数の凹部は、整然配置されている。たとえば、複数の凸部２２ｐが平坦部２２ｆによって離間され、複数の凸部２２ｐが整然配置された第１領域１１０の上面図を、図５に示す。本明細書における「整然配置」とは、複数の凸部または複数の凹部が、均等な間隔を有して、規則的に配列されている状態を意味する。
【００２４】
図５に示す上面構造に照明光が入射すると、複数の凸部２２ｐからの反射光と、その周囲の平坦部２２ｆからの反射光との干渉により、回折光が射出される。図５に示すように、複数の凸部２２ｐが整然配置されている構造の場合には、回折光は多くの方位角に向けて射出される。また、照明光は、１点に入射するのではなく、ある程度の面積を有する領域に入射する。また、一般的に、照明光は、単一波長のみからなる光ではなく、ある程度の波長分布を有する光である。したがって、定点において観察者は、多くの点からの複数の回折光を同時に観察する。それら複数の回折光は、回折角に依存して異なる波長分布すなわち色相を有する。したがって、観察者は、それら複数の回折光が合成された結果であり、それぞれの回折光のいずれとも異なる波長分布すなわち色相を有する単一光を認識する。
【００２５】
複数の凸部２２ｐが整然配置されている構造において、複数の回折光の合成に起因する単一光を認識させるためには、複数の凸部２２ｐの長辺寸法および短辺寸法を５μｍ〜１０μｍの範囲内とすることが望ましい。上記の範囲内の長辺寸法および短辺寸法を有する複数の凸部２２ｐを用いた場合、式１から明らかなように照明光の各波長成分に対する回折光の射出角の差が小さいため、照明光源および／または観察者の位置が変化しても、表示色がいわゆる虹色に変化せず、複数の回折光の合成に起因する単一光の色相（すなわち、特定の波長分布）が安定して観察できる。
【００２６】
ｄ＝ｍλ（ｓｉｎα−ｓｉｎβ）      （式１）
【００２７】
（式中、ｄは回悦格子の格子定数であり、ｍは回折次数であり、λは入射光および反射光の波長であり、αは入射光の入射角であり、およびβは反射光の出射角である。）
【００２８】
また、整然配置された複数の凸部または複数の凹部を用いることによって、迷光の少ない回折光が得られるという利点を有する。
【００２９】
なお、図５に示す平坦部２２ｆおよび複数の凸部２２ｐからなる第１領域１１０について詳細に説明したが、整然配置の効果は、平坦部および複数の凹部からなる第１領域についても同様である。
【００３０】
第１領域１１０の複数の凸部の高さまたは複数の凹部の深さは、０．１μｍ以上０．５μｍ以下であることが好ましい。この範囲内の高さまたは深さを有することにより、製造時の外的要因（機械および／または周囲環境の変動、凹凸構造形成層２２の材料組成のわずかな変動など）に影響を受けることなく精密な凸部または凹部を精密に成形することができ、かつ、高い回折効率を実現することができる。なお、回折効率が最大値となる条件は、前述の範囲よりも大きな高さまたは深さにおいても周期的に存在するが、より大きな高さまたは深さは、製造条件の制御をより困難にする可能性がある。なお、本明細書における複数の凸部の「高さ」とは、第１領域１１０の平坦部の上面から凸部上面までの垂直方向距離を意味する。同様に、本明細書における複数の凹部の「深さ」とは、第１領域１１０の平坦部の上面から凹部上面までの垂直方向距離を意味する。
【００３１】
回折構造から射出される回折光では、波長に依存して光強度すなわち回折効率が変化する。一般的に用いられる回折格子において、格子線の幅およびピッチを一定と仮定すると、回折効率は、回折格子の高さおよび照明光の波長によって一意に決定される。本発明のＯＶＤ形成層２０についても、第１領域１１０を定点から観察した場合、第１領域１１０の複数の凸部の高さまたは複数の凹部の深さに応じて、特定の波長の光の回折効率が低下する。結果として、照明光として白色光を用いた場合であっても、白色光に含まれる可視域の成分の回折効率の差により、観察される光は、特定の成分が弱くなった有色光となる。言い換えると、可視域のどの成分が弱くなるかは、第１領域１１０の複数の凸部の高さまたは複数の凹部の深さに依存する。したがって、複数の第１領域１１０を設け、それぞれの第１領域における複数の凸部の高さまたは複数の凹部の深さを異なるものとすることにより、それぞれの第１領域１１０において、観察者に異なる色相すなわち波長分布を有する光を提供することができる。
【００３２】
本発明の偽造防止媒体１００における１つまたは複数の第１領域１１０のそれぞれにおいて、複数の凸部の高さまたは複数の凹部の深さを略同一に設定する。本明細書において、「略同一」とは、高さの差、または深さの差が０．１μｍ以内であることを意味する。また、第１領域１１０を構成する平坦部、複数の凸部および複数の凹部は、支持基材１０の表面と略平行な面を有する。これらの構成によって、特定の波長領域の光の回折効率のみを低下させ、かつ他の波長領域の光の回折効率を低下させないようにすることができる。したがって、本発明の偽造防止媒体１００における１つまたは複数の第１領域１１０のそれぞれは、彩度の高い色相の光を観察者に提供することが可能となる。
【００３３】
１つまたは複数の第１領域１１０のそれぞれにおいて、複数の凸部または複数の凹部が占有する面積は、当該第１領域１１０の面積を基準として２０％以上８０％以下の範囲内である。複数の凸部または複数の凹部の占有面積を５０％とした場合に、最も明るい表示画像を得ることができる。しかしながら、前述の範囲内の専有面積とすることにより、回折効率の低下による輝度の低下が認められるものの、十分に認識可能であり、かつ十分なアイキャッチ（eye-catching）効果を有する画像を得ることができる。
【００３４】
また、凹凸構造形成層２２の第１領域１１０は、従来の回折格子と異なり、多くの方位角に対して回折光を射出する。したがって、照明光の光源の位置、観察点および／または観察方向が多少変化しても、前述の複数の回折光の合成に起因する色相すなわち波長分布を有する光を観察することができる。このため、従来の回折格子のように、観察する光の色相が、いわゆる虹色に変化してしまう現象を回避または緩和することができる。このため、複屈折層３４の潜像を観察しやすい。
【００３５】
一方、凹凸構造形成層２２の第２領域１２０は、何らの光学効果を付与することなしに、照明光を反射する領域を提供する。第２領域１２０の平坦部における凹凸構造形成層２２の膜厚は、第１領域１１０の平坦部における凹凸構造形成層２２の膜厚、第１領域１１０の複数の凸部における凹凸構造形成層２２の膜厚、または第１領域１１０の複数の凹部における凹凸構造形成層２２の膜厚と一致してもよい。あるいはまた、第２領域１２０の平坦部において、凹凸構造形成層２２は、第１領域１１０における凹凸構造形成層２２のいずれの部分とも異なる膜厚を有してもよい。
【００３６】
ＯＶＤ形成層２０を構成する第２の要素である反射層２４は、ＯＶＤ形成層２０における反射効率を向上させ、第１領域１１０における回折効果、第２領域１２０における反射効果、ならびに後述する偏光照射条件下で潜像層３０が提供する潜像を、観察者が視認することを容易にするための層である。
【００３７】
反射層２４は、アルミニウム、銀、金、およびそれらの合金などを含む金属材料を付着させることによって形成することができる。金属材料の付着は、真空蒸着法、スパッタ法、メッキ法など当該技術において知られている任意の方法を用いて実施することができる。反射層２４は、１０ｎｍ以上３００ｎｍ以下の膜厚を有することができる。
【００３８】
反射層２４は、少なくとも、凹凸構造形成層２２の１つまたは複数の第１領域１１０上に設けられる。凹凸構造形成層２２の１つまたは複数の第２領域１２０上には、反射層２４を設けてもよいし、設けなくてもよい。図１および図２においては、凹凸構造形成層２２の全面に反射層２４を形成した例を示した。なお、反射層２４は、凹凸構造形成層２２の第１領域１１０において、凹凸構造形成層２２の平坦部、凸部および／または凹部に倣った上面形状を有する。
【００３９】
潜像層３０の第１の構成要素である配向膜３２は、その上に形成される複屈折層３４中の複屈折材料を特定の方向に配向させるための層である。また、配向膜３２は、複屈折材料の適切な配向を実現するための、平滑な上面を提供するための層である。配向膜３２は、０．１μｍ以上３μｍ以下の膜厚を有することが好ましい。配向膜３２は、ＯＶＤ形成層２０と複屈折層３４との間にあり、ＯＶＤ形成層２０の凹凸を緩和し、その凹凸による複屈折層３４への影響を低減する。複屈折層３４を液晶材料で形成した際には、配向膜３２の凹凸により液晶材料の配向が影響され、ＯＶＤ形成層２０の微細凹凸によって、複屈折層３４に余計な散乱作用が生じやすい。また、配向膜３２は、複屈折層３４をＯＶＤ形成層２０に密着させる作用もある。また、配向膜３２は、複数の層の積層構造を有してもよい。たとえば、平滑な上面を提供するためのコート層と、コート層上に形成された配向層とを有する積層構造を用いることができる。ここで、コート層は、ウレタン樹脂などを用いて形成することができる。このとき、コート層は、レーザー印字の際にレーザーを吸収して発色する発色材料を含有してもよい。一方、配向層は、詳細を後述する、ラビング配向用材料、光配向用材料などを用いて形成することができる。
【００４０】
本発明における配向膜３２は、複屈折材料に異なる配向を提供する複数の領域を有する。また、配向膜３２は、ラビング配向法または光配向法などの配向処理を経て形成される。
【００４１】
ラビング配向法は、ポリマー塗膜を布などで特定方向に摩擦（ラビング）することにより、摩擦された方向における配向膜３２の表面の特性を変化させ、その上に形成される複屈折材料を配向させる方法である。ラビング配向法を用いる場合、配向膜３２は、ポリイミド、ポリビニルアルコール（ＰＶＡ）などの材料を用いて形成される。ラビング配向法による、異なる配向を提供する２つの領域の形成は、たとえば、ポリマー塗膜の一部を第１マスクで覆う工程と、第１の方向へのラビング処理を行う工程と、第１マスクを除去する工程と、第１の方向へのラビング処理を行った部分を第２マスクで覆う工程と、第２マスクで覆われていない部分に、第１の方向とは異なる第２の方向へのラビング処理を行う工程とを含む方法で実施することができる。あるいはまた、ポリマー塗膜の全面に第１の方向へのラビング処理を行う工程と、ポリマー塗膜の一部を第１マスクで覆う工程と、第１マスクで覆われていない部分に、第１の方向とは異なる第２の方向へのラビング処理を行う工程とを含む方法を採用してもよい。
【００４２】
光配向法は、（ａ）光異方化分子塗膜に対する異方性を有する光（たとえば、偏光）の照射、または、（ａ）光異方化分子塗膜に対する等方性光（たとえば、非偏光光）の斜め方向からの照射により、光異方化分子塗膜中の光異方化分子の再配列または異方的な化学反応を誘起する方法である。分子の再配列または異方的な化学反応は、（ｉ）アゾベンゼン誘導体の光異方化、（ｉｉ）桂皮酸エステル、クマリン、カルコン、ベンゾフェノン、およびそれらの誘導体の光二量化または架橋、（ｉｉｉ）ポリイミドなどの光分解などを含む。光配向法による、異なる配向を提供する２つの領域の形成は、光異方化分子塗膜の一部を第１マスクで覆う工程と、第１の異方性を有する光を照射する工程と、第１マスクを除去する工程と、光照射を行った部分を第２マスクで覆う工程と、第２マスクで覆われていない部分に、第１の異方性とは異なる第２の異方性を有する光を照射する工程とを含む方法で実施することができる。あるいはまた、光異方化分子塗膜の全面に第１の異方性を有する光を照射する工程と、光異方化分子塗膜の一部を第１マスクで覆う工程と、第１の異方性とは異なる第２の異方性を有する光を照射する工程とを含む方法を採用してもよい。ここで、第１および第２の異方性を有する光を照射する工程を、それぞれ、第１の斜め方向および第２の斜め方向からの等方性光を照射する工程に置換してもよい。
【００４３】
ラビング配向法を用いる場合のポリマー塗膜の形成、および光配向法を用いる場合の光異方化分子塗膜の形成は、たとえば、グラビアコーティング法、マイクログラビアコーティング法などの当該技術において知られている任意の方法を用いて実施することができる。
【００４４】
潜像層３０の第２の構成要素である複屈折層３４は、複屈折材料を含む層であり、複屈折層が異なる方向に配向した複数の領域を有する。図１および図２においては、第１複屈折領域３４ａおよび第２複屈折領域３４ｂの２つの領域を含む構成を例示した。
【００４５】
複屈折とは、偏光の方向によって屈折率が異なる現象を意味する。偏光方向が複屈折材料の光学軸（遅相軸および進相軸）と一致しない偏光が入射した場合、入射する偏光は、常光線と異常光線とに分離される。
【００４６】
本発明に用いることができる複屈折材料は、液晶材料を含む。液晶材料の非制限的な例は、メソゲン基の両端にアクリレート基を付加した光硬化性液晶モノマー、ＥＢまたは紫外線（ＵＶ）の照射により硬化した液晶ポリマー、非液晶性のポリマー主鎖にメソゲン基をグラフトしたグラフト型液晶ポリマー、ポリマー主鎖自体にメソゲン基を含む液晶ポリマーを含む。
【００４７】
複屈折層３４中の複屈折材料（液晶材料）は、その下にある配向膜３２の配向処理にしたがって、異なる方向に配向した複屈折材料（液晶材料）からなる第１複屈折領域３４ａおよび第２複屈折領域３４ｂを形成する。複屈折材料として液晶材料を用いる場合、液晶材料はネマチック相を呈する。この場合、配向膜３２上に液晶材料を塗布した後に、液晶材料がネマチック相−等方相転移を起こすＮ−Ｉ点の少し下の温度まで複屈折層３４を加熱することにより、液晶材料の配向を促進することができる。第１複屈折領域３４ａの複屈折材料の光学軸と、第２複屈折領域３４ｂの複屈折材料の光学軸とのなす角は、好ましくは５°から９０°までの範囲内、より好ましくは２２．５°から６７．５°までの範囲内、にすることができる。上記の角度を設定することによって、偏光板を通した観察の際に、容易に潜像を認識することが可能となる。
【００４８】
複屈折層３４は、０．１μｍ以上１μｍ以下の膜厚を有することが望ましい。偏光方向が複屈折材料の光学軸と一致しない偏光が入射して常光線と異常光線とが分離された場合、屈折率の相違により常光線および異常光線の光路が異なるものとなる。しかしながら、前述の範囲内の膜厚を有することによって、反射層２４によって反射され、複屈折層３４を再び透過した際の常光線および異常光線の出射位置を可干渉範囲内とし、複屈折層３４を射出する光の偏光方向を常光線および異常光線のベクトル合成により求めることができる。
【００４９】
複屈折層３４は、凹凸構造形成層２２に形成された０．０５ｍｍ〜１ｍｍの寸法を有する図柄（パターン）を観察できる程度の透明性を有することが望ましい。たとえば、ＪＩＳ  Ｋ−７３７４：２００７にしたがって０．１２５ｍｍの光学くし目幅を用いて測定される像鮮明度Ｃ（０．１２５）が、９０％以上であることが望ましい。このような透明度を有することによって、複屈折層３４を通して、凹凸構造形成層２２に形成したマイクロ文字を鮮明に観察することが可能となる。後述する偏光板を用いる検証およびマイクロ文字による検証を伴う多重化された真贋判定ができることにより、本発明の偽造防止媒体の偽造を極めて困難にすることができる。
【００５０】
また、ＯＶＤ形成層２０と潜像層３０との間、より具体的には反射層２４と配向膜３２との間に第２密着層（不図示）を設けて、ＯＶＤ形成層２０と潜像層３０との密着性を向上させてもよい。密着層は、樹脂により形成できる。樹脂として、熱硬化樹脂を用いることができる。熱硬化樹脂として、ウレタン樹脂を用いることができる。密着層は、０．１μｍ以上１μｍ以下の膜厚を有することできる。また、潜像層３０は、擦れ等により、容易に傷がつきやすいため、潜像層３０のＯＶＤ形成層２０と反対の面に保護層（不図示）を設けてもよい。保護層は、ハードコート性も付与することができる。ハードコート性は、鉛筆硬度試験（ＪＩＳ  Ｋ５６００−５−４）において、Ｈ以上５Ｈ以下の硬度であるとすることができる。
【００５１】
本発明の偽造防止媒体１００を偽造防止ラベルとして使用するための粘着層４０は、偽造防止媒体１００の支持基材１０側に設けられる。図１および図２に示した構成例では、粘着層は、支持基材１０のＯＶＤ形成層２０の反対側の面に設けられる。粘着層４０は、感圧接着剤のような当該技術において知られている任意の粘着剤を用いて形成することができる。粘着剤の非制限的な例は、アクリル系粘着剤、ブチルゴム系粘着剤、天然ゴム系粘着剤、シリコーン系粘着剤、ポリエステル系粘着剤、ポリアミド系粘着剤などを含む。
【００５２】
物品に貼付された偽造防止ラベルを剥離しようとした際に偽造防止媒体１００が破壊されるように、粘着層４０または支持基材１０に切り込みを設けてもよい。あるいはまた、粘着層４０と支持基材１０との間に、層間接着強度の大きな部分と層間接着強度の小さい部分とを設けてもよい。この場合には、偽造防止ラベルを剥離しようとした際に層間接着強度の大きな部分と層間接着強度の小さい部分との間で脆性破壊が起こり、偽造防止媒体１００が破壊される。
【００５３】
続いて、非偏光照明を用いる観察条件、および偏光板を通した観察条件において、本発明の偽造防止媒体１００がどのように観察されるかを説明する。図１は、通常の非偏光照明下で観察した偽造防止媒体１００を示す上面図である。この場合には、複屈折層３４の第１複屈折領域３４ａおよび第２複屈折領域３４ｂは視認できない。よって、第１領域１１０において、ＯＶＤ形成層２０（凹凸構造形成層２２および反射層２４）の凹凸に起因する有色の像が視認され、第２領域１２０においては、平坦な反射層２４によって反射された光が視認される。
【００５４】
図３に、第１状態の偏光板を通して観察した偽造防止媒体１００を示す。図３の例は、偏光板の光透過軸を、第２複屈折領域３４ｂの複屈折材料の光学軸と平行にした場合を示す。偏光板を通過した光は、光透過軸方向の直線偏光になり、複屈折層３４に入射する。第２領域１２０においては、直線偏光の偏光方向と複屈折材料の光学軸（進相軸または遅相軸）とが平行であるため、常光線と異常光線との分離は起こらず、常光線または異常光線の何れかが透過する。次に、反射層２４の表面で固定端反射した反射光は、再び複屈折層３４に入射する。この場合にも常光線または異常光線が複屈折材料の光学軸とが平行であるため、反射光はそのまま透過する。以上のように、２回の複屈折層３４の通過の際に偏光方向の変化が起こらないため、第２複屈折領域３４ｂにおいて複屈折層３４を射出する光は、偏光板の光透過軸に平行な偏光方向を有する。よって、第２複屈折領域３４ｂは明るい領域として認識される。
【００５５】
一方、第１複屈折領域３４ａの複屈折材料の光学軸は、偏光板の光透過軸と平行ではない。よって、偏光板を通過した直線偏光は、複屈折層３４において、常光線と異常光線とに分離される。続いて、反射層２４の表面で固定端反射した常光線および異常光線は、再び複屈折層３４に入射および透過する。ここで、常光線および異常光線は、反射層２４の表面での固定端反射によって位相がπ（ラジアン）ずれている。よって、常光線および異常光線のベクトル合成によって得られる、偽造防止媒体１００の射出光の偏光方向は、偏光板の光透過軸とは平行にならない。言い換えると、複屈折層３４の２回の通過および反射層２４における反射により、偏光方向が回転する。その結果、偏光板を通過できる偏光成分が減少するため、第１複屈折領域３４ａは、暗い領域として認識される。
【００５６】
以上のように、第１複屈折領域３４ａと第２複屈折領域３４ｂとでは射出光の輝度に差が生じるため、観察者が潜像（第１複屈折領域３４ａおよび第２複屈折領域３４ｂの形状）を認識できるようになる。これに加えて、ＯＶＤ形成層２０（凹凸構造形成層２２および反射層２４）の凹凸に起因して、第１領域１１０と第２領域１２０との色相の相違も引き続き観察できる。したがって、本発明の偽造防止媒体は、通常の観察条件でも観察できる色相のパターンと、通常の観察条件では観察できない明暗のパターンとが組み合わせられた独特の画像を表示する。
【００５７】
図４に、第１状態とは異なる第２状態の偏光板を通して観察した偽造防止媒体１００を示す。図４の例は、偏光板の光透過軸を、第１複屈折領域３４ａの複屈折材料の光学軸と平行にした場合を示す。この場合、図３の場合と対照的に、第１複屈折領域３４ａが明るい領域として認識され、第２複屈折領域３４ｂが暗い領域として認識される。したがって、図４に示す状態でも、観察者が、潜像（第１複屈折領域３４ａおよび第２複屈折領域３４ｂの形状）、および第１領域１１０と第２領域１２０との色相の相違を観察できる。したがって、本発明の偽造防止媒体１００は、通常の観察条件でも観察できる色相のパターンと、通常の観察条件では観察できない明暗のパターンとが組み合わせられた独特の画像を表示する。
【００５８】
図３および図４においては、第１複屈折領域３４ａまたは第２複屈折領域３４ｂの何れかが、偏光板の光透過軸と平行な配向を有する場合について説明した。しかしながら、第１複屈折領域３４ａおよび第２複屈折領域３４ｂの両方ともに偏光板の光透過軸と非平行な配向を有する場合であっても、コントラストが低下する可能性はあるものの、第１複屈折領域３４ａおよび第２複屈折領域３４ｂを射出する光の間に輝度の差が観察される。なぜなら、第１複屈折領域３４ａおよび第２複屈折領域３４ｂの配向方向が相違するからである。さらに、斜め方向から本発明の偽造防止媒体１００を観察した場合には、偏光板の光透過軸および第１複屈折領域３４ａのなす角、ならびに偏光板の光透過軸および第２複屈折領域３４ｂの配向方向のなす角が若干変化する。しかしながら、若干のコントラストの低下が認められるものの、射出光の輝度が第１複屈折領域３４ａおよび第２複屈折領域３４ｂで相違することは十分に認識できる。したがって、本発明の偽造防止媒体１００は偏光板を通した観察によって、通常の観察条件でも観察できる色相のパターンと、通常の観察条件では観察できない明暗のパターンとが組み合わせられた独特の画像を表示する。また、本発明の偽造防止媒体１００において、ＯＶＤ形成層２０は、通常の回折格子から得られる虹色に変化する像ではなく、単一の色相からなる像を提供する。したがって、潜像層３０に起因する明暗のパターンを容易に認識することができる。加えて、照明光とは異なる色相を呈する第１領域１１０の上方に、第１複屈折領域３４ａおよび第２複屈折領域３４ｂの両方を配置することによって、色相の相違によるパターンと明暗によるパターンとを重畳させて、本発明の偽造防止媒体１００にさらなるデザイン性を付与することもできる。
【００５９】
以上、ＯＶＤ形成層２０が１つの第１領域１１０および１つの第２領域１２０からなり、潜像層が第１複屈折領域３４ａまたは第２複屈折領域３４ｂという２種の領域を有する場合について説明した。しかしながら、ＯＶＤ形成層２０が複数の第１領域１１０を含む場合、ＯＶＤ形成層２０が複数の第２領域１２０を含む場合、潜像層３０が３種以上の領域を含む場合であっても、本発明の効果を奏することは当業者が容易に理解する事項であろう。また、潜像層３０が３種以上の領域を含む場合に、第１領域１１０の上方に、当該３種以上の領域の少なくとも２つを配置することによって、色相の相違によるパターンと明暗によるパターンとを重畳させて、本発明の偽造防止媒体１００にさらなるデザイン性を付与することができる。
【００６０】
本発明の偽造防止媒体は、印刷層をさらに含んでもよい。印刷層をさらに含む本発明の第２構成例の偽造防止媒体１００を非偏光照明下で垂直上方から観察した上面図を図６に示し、図６の切断線ＶＩＩ−ＶＩＩに沿った断面図を図７に示す。図６および図７に示す本発明の第２の構成例の偽造防止媒体１００は、第１構成例の偽造防止媒体１００の第２領域１２０において、ＯＶＤ形成層２０と潜像層３０との間に設けられた印刷層５０を含む。
【００６１】
印刷層５０は、文字、絵、意匠、ロゴ、マークなどの画像を表示する層である。印刷層５０は、当該技術において知られている任意の印刷技術を用いて形成することができる。印刷層５０は、印刷技術に依存して、オフセットインキ、活版インキ、グラビアインキなどの当該技術において知られている任意のインキを用いて形成される。また、インクジェット印刷、サーマル転写による印字、トナーを用いたプリンターによる印刷より画像を形成してもよい。複数色のインキを用いて、複数色の画像を表示する印刷層５０を設けてもよい。印刷層５０は、インキ中に含有される着色剤の固有の発色を示すため、観察角度などの観察条件によって変化することがない。また、レーザーを用いて反射層２４の金属を除去し画像を形成することもできる。レーザーを用いる画像形成の際には、反射層２４で発生した熱により配向膜３２および／または凹凸構造形成層２２にも痕跡が残る。そのため、反射層２４だけを改ざんしても、他の層の痕跡とズレる。このズレにより、改ざんを検知できる。
【００６２】
単一色を表示する印刷層５０を用いる場合、印刷層５０は、非偏光照明下で垂直上方からの観察においてＯＶＤ形成層２０の第１領域１１０が呈する色と略同一の色を呈することが好ましい。この場合、図６に示すように、非偏光照明下で垂直上方からの観察において、ＯＶＤ形成層２０の第１領域１１０および印刷層５０は略同一の色を呈し、両者を区別することはできない。しかしながら、図８に示すように、非偏光照明下で著しい斜め方向から観察した場合、印刷層５０の呈する色が変化しないのとは対照的に、ＯＶＤ形成層２０の第１領域１１０は、観察角度に依存して異なる色を呈する。すなわち、図８の状態では、ＯＶＤ形成層２０の第１領域１１０および印刷層５０を明瞭に区別することが可能となる。よって、印刷層５０を有する本発明の第２構成例の偽造防止媒体１００は、後述する偏光板を用いる観察による潜像の可視化との組み合わせにより、より高い偽造防止耐性を有する。
【００６３】
なお、図６および図７においては、ＯＶＤ形成層２０の第１領域１１０および第２領域１２０の全面にわたって反射層２４を設け、ＯＶＤ形成層２０の第２領域において、ＯＶＤ形成層２０と潜像層３０との間に印刷層５０を設けた例を示した。一方、ＯＶＤ形成層２０の第２領域１２０に反射層２４を設けず、かつ支持基材１０が透明である場合においては、印刷層５０を、支持基材１０のＯＶＤ形成層が設けられた面と反対側の面（たとえば、支持基材１０と粘着層４０との間）に設けてもよい。
【００６４】
続いて、偏光板を通した観察条件において、本発明の第２構成例の偽造防止媒体１００がどのように観察されるかを説明する
【００６５】
図９に、第１状態の偏光板を通して観察した偽造防止媒体１００を示す。図９の例は、偏光板の光透過軸を、第２複屈折領域３４ｂの複屈折材料の光学軸と平行にした場合を示す。第１構成例において説明したように、第２複屈折領域３４ｂにおいて偏光方向の変化が起こらないため、第２複屈折領域３４ｂは明るい領域として認識される。
【００６６】
一方、第１複屈折領域３４ａの複屈折材料の光学軸は、偏光板の光透過軸と平行ではない。第１構成例において説明したように、第１複屈折領域３４ａにおいて偏光方向の回転が起こるため、第１複屈折領域３４ａは暗い領域として認識される。また、ＯＶＤ形成層２０（凹凸構造形成層２２および反射層２４）の凹凸に起因して、第１領域１１０と第２領域１２０との色相の相違も引き続き観察できる。加えて、印刷層５０は、ＯＶＤ形成層２０の第１領域１１０と略同一の色を呈する。
【００６７】
したがって、本発明の偽造防止媒体は、ＯＶＤ形成層２０および印刷層５０に起因し、通常の観察条件でも観察できる色相のパターンと、潜像層３０に起因し、通常の観察条件では観察できない明暗のパターンとが組み合わせられた独特の画像を表示する。図９に示した例では、ＯＶＤ形成層２０および印刷層５０による有色部の中に、潜像層３０による明暗パターンが観察できる。
【００６８】
図１０に、第１状態とは異なる第２状態の偏光板を通して観察した偽造防止媒体１００を示す。図１０の例は、偏光板の光透過軸を、第１複屈折領域３４ａの複屈折材料の光学軸と平行にした場合を示す。この場合、図９の場合と対照的に、第１複屈折領域３４ａが明るい領域として認識され、第２複屈折領域３４ｂが暗い領域として認識される。言い換えると、潜像層３０による明暗パターンが反転する。一方、ＯＶＤ形成層２０および印刷層５０の呈色状態は変化しない。すなわち、図１０に示す状態でも、観察者が、潜像（第１複屈折領域３４ａおよび第２複屈折領域３４ｂの形状）、および第１領域１１０と第２領域１２０との色相の相違を観察できる。図１０に示した例では、ＯＶＤ形成層２０および印刷層５０による有色部の中に、潜像層３０に起因する反転した明暗パターンが観察できる。
【００６９】
したがって、本発明の第２構成例の偽造防止媒体１００は、偏光板の光透過軸の回転に依存して変化する明暗のパターンと、通常の観察条件でも観察できる色相のパターンとが組み合わせられた独特の画像を表示する。
【００７０】
図９および図１０においては、第１複屈折領域３４ａまたは第２複屈折領域３４ｂの何れかが、偏光板の光透過軸と平行な配向を有する場合について説明した。しかしながら、第１複屈折領域３４ａおよび第２複屈折領域３４ｂの両方ともに偏光板の光透過軸と非平行な配向を有する場合であっても、コントラストが低下する可能性はあるものの、第１複屈折領域３４ａおよび第２複屈折領域３４ｂを射出する光の間に輝度の差が観察される。なぜなら、第１複屈折領域３４ａおよび第２複屈折領域３４ｂの配向方向が相違するからである。したがって、本発明の第２構成例の偽造防止媒体１００は、偏光板を通した観察によって、通常の観察条件でも観察できる色相のパターンと、通常の観察条件では観察できない明暗のパターンとが組み合わせられた独特の画像を表示する。
【００７１】
さらに、斜め方向から本発明の偽造防止媒体１００を観察した場合には、偏光板の光透過軸および第１複屈折領域３４ａのなす角、ならびに偏光板の光透過軸および第２複屈折領域３４ｂの配向方向のなす角が若干変化する。しかしながら、若干のコントラストの低下が認められるものの、射出光の輝度が第１複屈折領域３４ａおよび第２複屈折領域３４ｂで相違することは十分に認識できる。加えて、前述のように、斜め方向からの観察では、印刷層５０の呈する色が変化せず、ＯＶＤ形成層２０の第１領域１１０が呈する色が変化する。したがって、本発明の第２構成例の偽造防止媒体１００は、偏光板を通した斜め方向からの観察によって、垂直上方からの観察とは異なる色相のパターンと、潜像層３０に起因する明暗のパターンとが組み合わせられた独特の画像を表示する。
【００７２】
なお、本発明の第２構成例の偽造防止媒体１００においても、ＯＶＤ形成層２０は、通常の回折格子から得られる虹色に変化する像ではなく、単一の色相からなる像を提供する。したがって、潜像層３０に起因する明暗のパターンを容易に認識することができる。また、印刷層５０が提供する像の色相は観察方向に依存して変化しないため、潜像層３０に起因する明暗のパターンを容易に認識することができる。加えて、照明光とは異なる色相を呈する第１領域１１０の上方、ならびに印刷層５０の上方に、第１複屈折領域３４ａおよび第２複屈折領域３４ｂの両方を配置することによって、色相の相違によるパターンと明暗によるパターンとを重畳させて、本発明の偽造防止媒体１００にさらなるデザイン性を付与することもできる。
【実施例】
【００７３】
（実施例１）
膜厚２５μｍのＰＥＴフィルムからなる支持基材１０上に、光硬化性樹脂を塗布して、膜厚２μｍの光硬化性樹脂層を形成した。光硬化性樹脂層に別途作製した金属製スタンパを押圧し、支持基材１０側から波長３６５〜４３６ｎｍの光を照射し、光硬化性樹脂層を硬化させた。続いて、金属製スタンパを除去し、凹凸構造形成層２２を得た。得られた凹凸構造形成層２２は、長辺寸法０．８μｍ、短辺寸法０．８μｍ、および高さ０．２６μｍの複数の凸部を有する第１領域１１０と、複数の凸部の上面と略同一平面をなす平坦な表面を有する第２領域１２０とを有した。第１領域１１０に対する複数の凸部は、２．４μｍの間隔を有する六方格子状に整然と配置された。また、第１領域１１０に対する複数の凸部の専有面積は２６％であった。【００７４】
得られた凹凸構造形成層２２の上に、蒸着法によりアルミニウム層を堆積させ、膜厚５０ｎｍの反射層２４を形成し、ＯＶＤ形成層２０を得た。【００７５】
続いて、ＯＶＤ形成層２０の上に、マイクログラビアコーティング法により光配向剤ＩＡ−０１（ＤＩＣ株式会社製）を塗布し、配向剤塗膜を形成した。続いて、配向剤塗膜に対して、フォトマスクを通して波長３６５ｎｍの直線偏光の第１の紫外線を照射した。続いて、配向剤塗膜全面に対して、波長３６５ｎｍの直線偏光の第２の紫外線を照射して、２つの異なる配向処理を施した膜厚０．１μｍの配向膜３２を形成した。ここで、第１の紫外線の偏光方向と第２の紫外線の偏光方向とのなす角は４５°であった。なお、配向膜３２の膜厚は、凹凸構造形成層２２の第２領域１２０における膜厚である。【００７６】
続いて、配向膜３２の上に、マイクログラビアコーティング法によりＵＶキュラブル液晶ＵＣＬ−００８（ＤＩＣ株式会社製）を塗布して、液晶材料膜を形成した。続いて、液晶材料膜を９０℃に加熱して液晶材料を配向させた。最後に、窒素ガス雰囲気中で０．５Ｊ／ｍ2の紫外線を照射して、液晶材料を硬化させ、膜厚０．８μｍの複屈折層３４を形成し、潜像層３０を得た。ここで、第１の紫外線を照射された配向膜３２上に第１複屈折領域３４ａが形成され、第２の紫外線のみが照射された配向膜３２上に、第２複屈折領域３４ｂが形成された。【００７７】
続いて、支持基材１０の背面（凹凸構造形成層２２が形成されていない面）に、粘着剤を塗布して、粘着層４０を形成して、偽造防止粘着ラベルを得た。最後に、粘着層４０の露出面を保護するセパレータフィルムをラミネートした。【００７８】
（実施例２）
実施例１と同様の手順により、支持基材１０の上にＯＶＤ形成層２０を形成した。【００７９】
ＯＶＤ形成層２０の第２領域１２０の上方に位置する、ＯＶＤ形成層２０の表面の一部に、着色剤として有機顔料を含有するインキを付着させて、印刷層５０を形成した。【００８０】
引き続いて、実施例１と同様の手順により、潜像層３０および粘着層４０を形成して、偽造防止粘着ラベルを得た。【００８１】
（比較例１）
膜厚２５μｍのＰＥＴフィルムからなる支持基材上に、ウレタン樹脂を塗布して、膜厚１μｍのウレタン樹脂層を形成した。続いて、ロールエンボス法を用いて、ウレタン樹脂層の表面にレリーフ構造を形成し、通常の虹色に変化する回折構造画像を与える凹凸構造形成層を得た。続いて、得られた凹凸構造形成層の上に、蒸着法によりアルミニウム層を堆積させ、膜厚５０ｎｍの反射層を形成し、ＯＶＤ形成層を得た。【００８２】
引き続いて、実施例１と同様の手順により、潜像層３０および粘着層４０を形成して、偽造防止粘着ラベルを得た。【００８３】
（評価）
実施例１、実施例２および比較例１の偽造防止粘着ラベルを物品（ゴルフクラブ）に貼付して、非偏光照明下での観察、および直線偏光板を通した観察を行った。【００８４】
実施例１の偽造防止粘着ラベルを非偏光照明下で観察したところ、ＯＶＤ形成層２０に起因する、シアン色の第１領域１１０とマゼンタ色の第２領域１２０とを視認できた。ＯＶＤ形成層２０の第１領域１１０は、比較例１の偽造防止媒体のようにいわゆる虹色変化を伴わずに、シアン色の領域として視認できた。また、直線偏光板を通した観察では、ＯＶＤ形成層２０の着色パターンに加えて、第１複屈折領域３４ａおよび第２複屈折領域３４ｂの形状および配置に対応する明暗のパターンを視認することができた。さらに、直線偏光板を回転させることにより、明暗のパターンの変化を視認することができた。【００８５】
実施例２の偽造防止粘着ラベルを非偏光照明下で観察したところ、実施例１の偽造防止粘着ラベルと同様に、ＯＶＤ形成層２０に起因するシアン色の第１領域１１０およびマゼンタ色の第２領域１２０、ならびに印刷層５０に起因するマゼンタ色の領域を視認できた。ＯＶＤ形成層２０の第１領域１１０は、比較例１の偽造防止媒体のようにいわゆる虹色変化を伴わずに、シアン色の領域として視認できた。また、非偏光照明下で、観察角度を垂直上方から斜め方向へと変化させるにつれて、ＯＶＤ形成層２０の第１領域１１０はシアン色からブルー色へと変化した。一方、印刷層５０の色は、観察角度によっては変化しなかった。さらに、直線偏光板を通した観察では、ＯＶＤ形成層２０の着色パターンに加えて、第１複屈折領域３４ａおよび第２複屈折領域３４ｂの形状および配置に対応する明暗のパターンを視認することができた。さらに、直線偏光板を回転させることにより、明暗のパターンの変化を視認することができた。【００８６】
比較例１の偽造防止粘着ラベルを非偏光照明下で観察したところ、ラベル前面において、凹凸構造形成層に起因する虹色を視認できた。しかしながら、直線偏光板を通した観察では、凹凸構造形成層に起因する虹色によって、第１複屈折領域３４ａおよび第２複屈折領域３４ｂの形状および配置に対応する明暗のパターンを明瞭に視認することができなかった。さらに、直線偏光板を回転させても、明暗のパターンの変化を視認することができなかった。
【符号の説明】
【００８７】
１０  支持基材
２０  ＯＶＤ形成層
２２  凹凸構造形成層
２２ｐ  凸部
２２ｆ  平坦部
２４  反射層
３０  潜像層
３２  配向膜
３４  複屈折層
３４ａ  第１複屈折領域
３４ｂ  第２複屈折領域
４０  粘着層
５０  印刷層
１００  偽造防止媒体
１１０  第１領域
１２０  第２領域
【図１】
2017204168.tif 000003
【図２】
2017204168.tif 000004
【図３】
2017204168.tif 000005
【図４】
2017204168.tif 000006
【図５】
2017204168.tif 000007
【図６】
2017204168.tif 000008
【図７】
2017204168.tif 000009
【図８】
2017204168.tif 000010
【図９】
2017204168.tif 000011
【図１０】
2017204168.tif 000012
【国際調査報告】
2017204168.tif 000013
2017204168.tif 000014
2017204168.tif 000015
2017204168.tif 000016